(57)【要約】ユーザーに香りを認識し、好みの香りの組み合わせを決めさせるための、様々に異なった香りとデータを提供する教育的／娯楽的装置が提供される。この装置は、複数の異なった香りを収容し、且つ、香りの性質、地理的原産地、及び／又は各香りの源に関するデータを保持するＣＤロムのようなデータ保持手段とを具備するキットを形成する。データ保持手段に保持されるデータには、複数の地理的地域を示した地図と、各地域と関連する香りとを相互参照するための相互参照手段とが含まれている。ユーザーにより地域が選択されると関連する香りが特定され、この香りについてのデータがユーザーに提供される。データ保持手段上のデータは、コンピュータに地図イメージを表示し、地図上の地域を選択する手段を提供させるような指令を与えるプログラムを具備している。この装置はまた、コンピュータに、キット内における香りの相対的な好ましさを示すユーザーからの入力を受け付けさせ、この相対的な好ましさを表示させるようになっている。【特許請求の範囲】
【請求項１】
ユーザーに香りと香りのデータを提供する教育的／娯楽的装置であって、複数の異なった香りを収容し、且つ、香りの性質、地理的原産地、及び／又は各香りの源に関するデータを保持するデータ保持手段を収容するキットを具備し、データ保持手段に保持されたデータには、複数の地理的地域を示した地図と、ユーザーにより地域が選択されると関連する香りが特定されるような、各地域と関連する香りとを相互参照するための相互参照手段とが含まれている装置。
【請求項２】
各香りは、地域に関連するあらゆる特徴を理由としてその地域と関連付けられている、請求項１に記載の装置。
【請求項３】
前記保持手段は、コンピュータに地図イメージを表示させ、コンピュータ上の入力装置を用いて地図上の地域を選択する手段を提供させるような指令を与えるプログラムを具備し、所与の地域の選択により、コンピュータに関連する香りについて検索させ情報を表示させる、請求項１又は請求項２に記載の装置。
【請求項４】
前記プログラムは、ユーザーに香りを（かぐことによって）試してみさせるよう誘導するプログラムを走らせるような動作を行うことも可能な請求項３に記載の装置。
【請求項５】
前記プログラムは、ユーザーにより入力されたデータと、試された香りの好ましさについてのユーザーの認識を表示させる動作を行うことも可能な請求項４に記載の装置。
【請求項６】
前記プログラムは、使用時において、コンピュータを、ユーザーに前記データの入力を促させ、コンピュータが、ユーザーに香りを試させるような指示を表示し、香りに関する情報を表示した後、別の地域の選択が可能となる前に、前記データを受け取る状態になるようにさせる請求項４又は請求項５に記載の装置。
【請求項７】
前記プログラムには、コンピュータに、前記入力から先に試した香りの相対的な好ましさを表現する出力を出させるための指示が含まれている請求項６に記載の装置。
【請求項８】
前記出力は、香り試料の相対的好ましさを画像表現する形態とする請求項７に記載の装置。
【請求項９】
前記画像表現は、試料とされた香りを含む香りのグループに各々対応した一連の色彩の要素からなる請求項８に記載の装置。
【請求項１０】
前記要素は、各同心円の厚みをその円環により代表されるグループにおける各々の香りの好ましさに比例させた同心円からなる請求項９に記載の装置。
【請求項１１】
ユーザーが選択するのに適当な香りのタイプを表示する装置であって、相異なる所定のファミリーにおける複数の香りと、コンピュータに、ユーザーに対して各香りを順番に試し、各香りの好ましさを表すデータを入力させるような指令を与え、（前記入力に基づき）そのファミリーにおける相対的な好ましさを画像として表示させるためのコンピュータプログラムが提供されている装置。
【請求項１２】
前記香りは、液体であり、各香りは個別の容器に保持され、当該装置はかぐための香りの部分を受け入れるための基質手段を具備する請求項１１に記載の装置。
【請求項１３】
前記基質手段は、吸収剤であって、複数の板状の材料例えば紙片、又はゼオライトやシリカのような他の無機物の基盤、又はポリマー基盤のような材料を具備する、請求項１２に記載の装置。
【請求項１４】
当該装置は、各香りを混合させる容器と、香水の容器から当該容器に調整された量の香水を移す、例えばドロッパーのような分配手段とを具備する請求項１１乃至請求項１３のいずれか１項に記載の装置。
【請求項１５】
当該装置は、所与の香りに関連した皮や繊維のような１以上の材料を具備する請求項１１乃至請求項１４のいずれか１項に記載の装置。
【請求項１６】
明細書に具体的に記載され、参照され、添付図に描かれた装置。
【発明の詳細な説明】
【技術分野】
【０００１】
本発明は、香りとそれに関する情報と共にユーザーに提供する教育的な装置に関する。このような装置は、当人が選択するのに適当な香水ファミリーの輪郭の表示と共に、付加的に又は代替的にユーザーに提供しても良い。本発明は特に個人的に使用する香水の香りの認定に応用できる。
【背景技術】
【０００２】
広範囲に異なった香料が、多くの商業的に用いられる産品、特に化粧品の材料として用いられている。香料が、単一の容易に特定できる供給源（例えばレモンのようなかんきつ類の果物）から由来する香りにより占められている場合は、多くのユーザーは簡単にその香りが分かるだろう。
【０００３】
しかしながら、多くの香料は、様々な異なった原材料、あるものは非常にかすかな香りを生み出す原材料、の複雑な混合により成り立っている。特別なトレーニングを行わなければ、わずかな人しかこのような香料の各々の香りを特定することができず、従って、香料を、様々なそして香料の箱にしばしば書かれ（時には）むしろ分かりにくい説明と関連付けることは難しいことがわかる。そこで、多くの人々は、新しい香料を「試行錯誤」で選択する傾向にある。
【発明の開示】
【０００４】
〈発明の概要〉
本発明によれば、香り及びデータをユーザーに提示する、教育を施すための及び／又は娯楽になる装置が提供される。この装置は、種々の異なった香りと、その特性、地理的原産地、及び／又は各香りの源についてのデータを保持する手段を有する道具一式（キット）を具備し、データを保持する手段に保持されたデータには、複数の地理的な地域を示した地図と、ユーザーにより地域が選択されると関連する香りが特定されるような、各地域と関連する香りとを相互参照するための相互参照手段とが含まれる。
【０００５】
各香りにそれぞれの地理的な地域の参照をつけること、及びこのような地域の選択に応答して香りの情報を供給することは、ユーザーに対してさらに容易に、その香り及びその特性を記憶し、認識し、そして表現することができると考えられる。
【０００６】
各香りは、その地域に関連するあらゆる特徴を理由として、その地域と関連付けることができる。したがって、香りは、その香りの産地として有名な、又はその香りが初めて作られた特定の国又は、その香りがその海洋と同様の新鮮さという特徴を持つという理由で海洋のような地域と関連付けることができる。
【０００７】
香りはまた、その国で人気があるという理由で特定の国と関連付けることもできる。
【０００８】
保持手段に保持されたデータは、印刷物の形態をとっても良いが、コンピュータに地図を表示させ、コンピュータの入力手段を用いて、この地図上のひつとの地域を選択する手段を提供し、所定の地域を選択したときコンピュータに、関連する香りの情報を検索して表示させるような指令を与えるコンピュータプログラムを具備することが好ましい。
【０００９】
このプログラムはまた、そのプログラムを走らせたコンピュータがユーザーに香りを（かぐことによって）試してみさせるように誘導するような動作が可能なようにすることが好ましい。この場合、このプログラムはまた、このようなコンピュータに、ユーザーにより入力され試されたデータ、及び香りの好ましさに対する彼又は彼女の認識を表示できるデータを記録させる動作が可能なことが望ましい。このような誘導は、ユーザーに香りを試すよう求める人やキャラクターを描いたアニメーションを用いて行ってもよい。
【００１０】
データは、例えば、香りが好ましければ好ましいほど点数が高くなるような数字による点数でもよい。
【００１１】
望ましくは、このプログラムは、使用時において、コンピュータを、ユーザーに前記データの入力を促させ、コンピュータが、ユーザーに香りを試させるような指示を表示し、その香りの情報を表示させた後であって、別の地域の選択が可能となる前に、前記データを受け取る状態になるようにさせることが望ましい。
【００１２】
望ましくは、このプログラムは、コンピュータに、前記入力から先に試した香りの相対的な好ましさを表現する出力を生み出させるための指示が含まれていることが望ましい。
【００１３】
出力は、いい印象を与えるために、香り試料の相対的好ましさを画像で表示させても良い。
【００１４】
香りを、各嗅覚グループが類似する特徴（例えば、花の、香辛料の、草の、等）を持つ香りを含む、相異なる嗅覚グループに範疇分けすることが知られている。望ましくは、画像での表示は、試料とされた香りを含む各々のグループに関連させた、一連の色彩要素を具備させることが望ましい。
【００１５】
この要素は、印象を良くするために、各同心円の厚みを、その円環により代表されるグループにおける各々の香りの好ましさに比例させた同心円を具備しても良い。
【００１６】
クエスト・インターナショナルにより開発されたLignes de forceに合致するような表現が様々な既知の香水のタイプの画像表現として用いられる。Lignes de forceによれば、ある円環の厚みは、その香水の香りのカテゴリーにおける顕著性に対応する。このように彼又は彼女自身の特徴を、コンピュータにより準備された既知の様々な香りを表したLignes de forceの記録と比較することで、ユーザーは彼又は彼女が興味を持ちそうな香水をもっと容易に見つけることができる。
【００１７】
本発明はまた、ユーザーが選択するのに適当な香りのタイプを表示するための装置として存在し、この装置は、相異なる所定のファミリーにおける複数の香りとデータ保持手段を具備し、データ保持手段には、コンピュータに、ユーザーに対して各香りを順番に試し、各香りの好ましさを表すデータを入力させるような指令を与え、（前記入力に基づき）そのファミリーにおける相対的な好ましさを画像に表示させるためのコンピュータプログラムが提供されている。
【００１８】
望ましくは、その香りは液体によるものとし、各香りは個別の容器に保持され、その装置は、かぐための香りの部分を受け入れるための基質を含んでいることが望ましい。
【００１９】
望ましくは、基質は吸収剤で、例えば紙片のような多数の板状の材料からなるものが望ましい。あるいは、基質はノンペーパー吸収剤でも良い、例えばIlacon Ltd (Tunbridge, UK)から「scrib-rod inners type 7446」の名で提供されているポリマー基盤、又は無機物の基盤（例えばシリカやゼオライト）である。
【００２０】
望ましくは、この装置は、各香りを混合させる容器と例えばドロッパーのような分配手段、或いは、その他の、香水の容器からこの混合容器に調整された量の香水を移す分配装置を具備することが望ましい。
【００２１】
望ましくは、この装置はまた、所与の香りに関連した皮や繊維のような１以上の材料を具備することが望ましい。
【発明を実施するための最良の形態】
【００２２】
＜説明＞
図１と図２を参照して、本発明に係る装置は、平面図が一般的な円形で蓋２があり、受け皿４の上に搭載された容器１を具備する。蓋２と受け皿４は、蓋２が、図１に示す閉じた位置から図２に示す開いた位置へと水平軸の周りを回動可能なように、容器１の後部にヒンジで結合されている。図２から分かるように、蓋２の内面にはCDロム８を入れるポケット６がある。
【００２３】
この容器にはまた、受け皿４の上に円形のプラットフォームがあり、このプラットフォームは二つの半円形の半片１０と１２により構成されている。半片１０と１２は、容器後部の垂直軸の周りを相互に回動し、二つに分かれる。ヒンジ１４は、半片１０と１２の分離が蓋２により妨げられることがないように、半片１０と１２を引き離すように動かすときにヒンジを前方にずらすことができるようなガイド手段（図示せず）に取り付けられている。各半片のプラットフォームには、例えば１６や１８のような多数の区画に分割し、各区画に、例えば２０のように、各々の香りを液体の形で入れる容器を収めた、半円形の皿が用意されている。各香りの容器は、取り外し可能な蓋で密閉されその中の香りを特定する表示がなされている。
【００２４】
別表は、このプラットフォームに保持され得る各香りのすべてを記載した表である。この表から見ることができるように、香りはファミリーに分割され、提示することができる各々の香りはそこに多数ある。香りの容器の大きさに対する上述のプラットフォームの大きさは、プラットフォームが前記香りのすべてを保持できるようにする。しかし、装置の簡易な形態では、記載された各ファミリー中から大事な１つは少なくとも保持する、より少ない数の香りを保持したプラットフォームを持つこととしても良い。
【００２５】
プラットフォームの半片が図２に示す開位置に動かされたとき、トレー４の中があらわになる。これは２つの区画２２と２４に分けられている。区画２２には、香りをかぐ前にその香りを塗布する多数の紙の「香り片」２６（又は紙とは違った、ポリマー基板やシリカやゼオライトのような基板）がある。さらに、区画２２には多数のドロッパー（例えば２３）がある。ドロッパーの数は、各ドロッパーを各々の香りに対して使うことができるように、香りの数に対応する。加えて、選択された少量の香りを（ドロッパーを用いて）入れてかき混ぜるための容器がある。
【００２６】
CDロム８はパーソナルコンピュータで用いるコンピュータプログラムを持つ。プログラムのリストは、標準的なプログラム技術とプログラムを走らせた結果得られる運転の知識から容易に作成できるので、本書面には含まれない。この場合、このプログラムは、まずコンピュータに対して、順々に多数の導入用画面を、表示スクリーンに表示させる。これらの例は図３に示されている。
【００２７】
現在の例においては、図３Aに示す最初の画面は、成分の内容及び導入文を背景にした鍵穴が示されている。もしユーザーが鍵穴アイテムをクリックすれば、これにより図３Bで表示された画面に移る。図３Bは、香りを鑑賞している人の外見上のイメージと、香りをかぐことは本能ではあるが香りを理解することは学ぶ必要があることを書いた文章を表示している。これに図３Cが続き、ユーザーの興味を鼓舞するための情報が与えられる。図３Dに示す画面では、ユーザーにアトランダムに香りを選択し、図３Eに示された次の画面の説明による技術を用いてその香りをかぐことを促す。
【００２８】
図３Gと３Hは、香りの特性とその人間の感情に対する潜在的な効果について論じる画面である。これらの画面の目的はユーザーの興味を刺激してプログラムにより示唆される次の動作を実行させることであり、プログラム操作の導入部分で追加の又は代わりの情報が提供されると喜ばれるだろう。加えて、導入部分における情報を動画中の人物に語らせるような形式で表現するために、プログラムによりコンピュータに（香水業者のような）人物の動画を表示させ、音響ファイルを再生しても良い。
【００２９】
図３IとJに示した画面は、ゲームの次の部分を説明するものであり、順番に表示され、プログラムによりコンピュータに、図４に一例が表示されているような地図を表示させる。代わりに、カーソルを使ってユーザーが１以上の軸を中心に回転することができるような地球をコンピュータに画面表示させても良い。
【００３０】
このカーソルは、所定の国や地域を地図から選択するために用いることもできる。このプログラムは、各選択可能な地域と各々の香り又は香りのファミリーとの間で相互参照機能を有しており、所定の地域を選択すると相互参照された香り／香りのファミリーについての情報がコンピュータに表示されるようになっている。
【００３１】
このようにして、例えば、図４に示された地図からイタリアを選択すると、図５AとBに表示された画面に導かれる。後者の画面では２つの香りファミリー中の関連するリストを表示し、このリストから例えば、レモンを選択することができる。図５Cに示された次の画面では、レモンについての（歴史、文化、地理、等の）さらに概念的な情報が表示される。これは、道具一式（キット）の中にある香りの１つであり、プログラムはこのようにしてユーザーにこの香りをかぐことを促す（図５D）。コンピュータプログラムにより、ユーザーに試料の香りについての印象を入力する選択肢が与えられ、コンピュータは、プレーヤーがいつでも好きなときに画面上に表示できる電子的な「旅の回数券」（「carnet de voyage」）の命令に応じるようになる。「旅の回数券」は、選択された香りについてさらなる情報を提供するためのウェブサイト対するハイパーリンクもまた具備している。
【００３２】
画面５Eと５Fはレモンについて表示する情報をさらに示す。これらの画面はユーザーに結論に到達するための経験的な状況におくことを手助けし、ユーザーを以下に説明する香りを描写するLignes de forceを用いる利点を理解するよう誘導するものである。ユーザーはまた、レモンを含んだ香りのファミリーについても学ぶ。
【００３３】
一般に、このファミリーはCDロムにて提供されたデータベース中のいくつかの国とリンクされている。このように、例えば関連する他の国をクリックすることで、ユーザーはシトラスの香りファミリーにおける他の成員についてのデータを得ることができる。かくして、各香りの背景となるデータはそのファミリーにおける他の成員により提供されないファミリーについての情報を提供することができる。
【００３４】
一旦プレーヤーがすべての原材料を「訪れる」と、以下に説明する、Lignes de forceの紹介と共に１４のファミリーの要約がなされる。
【００３５】
図６A−Cは、ユーザーがパリを選択した場合に表示されるであろう画面である。図７A−Cは、マレーシアの選択に引き続いて表示されるであろう画面である。各々の場合、最初の画面は地域（場合に応じてパリ市又はマレーシア国）とそれに関連する有名な香りが表示される。続いての画面で、その香りのファミリーについてのさらに一般的な情報が提示される。画面に示すように、コンピュータはまた、ユーザーにより試すことができる同じファミリーからの（キット内の）他の香りについても表示することができる。
【００３６】
図８−１７は、画面に表示された他の地域の選択に応じて表示される画面を示す。これらの画面の各々によりユーザーはキットから試料の香りを試すよう促される。キットにはレザーの試料も含まれ、図１３に示す画面でユーザーはこの試料の香りをかぐことを促されることは特筆されるべきである。
【００３７】
一旦選択された地域に関するすべての画面が表示されると、ユーザーが他の地域を選択することができるように図４に示す地図がもう一度表示される。次にユーザーは、すべての地域が選択され関連する画面が表示され終わるまでは、もう１つ別の地域を選択することが可能である。処理のこの局面では、コンピュータは、例えば図１９と２０に示すサマリー画面を表示することとしても良い。
【００３８】
この局面で、さらにまた画面（図示せず）を表示させ、各ファミリーから表示された香りを試し、続いてその香りの好ましさの程度をコンピュータに入力することをユーザーに促す。この好ましさの程度は、０（快適でない）から１０（非常に好ましい）までの点数の形を取ることができる。
【００３９】
次いで、プログラムは、現出願人の「Lignes de force」と「香りの惑星」（「Perfume Planets」）の（図２１A又はBから始まる）異なった香りを代表する記号を生成させる方法の説明を提示する。この「Lignes de force」法は、この方法はすでに既知であり、従ってここでは詳細に説明しない。簡単にいえば、添付に示すように香りが多数の香りのファミリーとして表現されるのである。これは図２２に示された三角形２８のような三角形として画像的に表示される。この三角形２８は、３０、３２及び３４でおのおの引用されている上部、中央部及び下部に分けられる。上部は、香りを使用したとき最初に顕著となるが、最初の１５分以内に消滅してしまうような香りである「ヘッドノート」（「head notes」）を表す。３２の部分は、香りを使用したとき続いて３時間から４時間顕著になるような香りのファミリーである「ハートノート」（「heart notes」）を表す。最後に、３４の部分は、香りの最後の４時間から５時間の間顕著になる成分である「ベースノート」（「base notes」）を表す。この三角形２８は、対称軸３６を中心として軸３６に対する線のグループが軸の右側にある一群の線の鏡像になるように対照的に配置されていて、種々のファミリーを代表するコード化された色の一連の垂直線を有している。
【００４０】
以下の表は、どの垂直ラインがどのファミリーを代表しているかを示すための参照番号を示している。
ファミリー 参照番号
シトラス（Citrus）                      ５０
ハーブ（Herbal）                        ５２
アルデヒド（Aldehyde）                  ５４
グリーン（Green）                       ５６
マリン／オゾン（Marine/Ozone）          ５８
フルーツ（Fruit）                       ６０
フローラル（Floral）                    ６２
スパイス（Spice）                       ６４
ウッド（Wood）                          ６６
レザー（Leather）                       ６８
アニマル（Animal）                      ７０
ジャコウ（Musk）                        ７２
アンバー（Amber）                       ７４
バニラ（Vanillic）                      ７６
【００４１】
図２２から分かるように、ある香りのファミリー、例えばバニラファミリー（７６）は、他の、例えばシトラスのファミリー（５０）より香りが持続する。
【００４２】
図２２に示された三角形と香りの線は円錐の断面側面図と考えることができ、この円錐を上から見ると、各々の香りを表す一連の同心円環が現れる。この２つの形状の関係が図２２の（このような円錐を上から見た図の半分を表わした）７８に描かれている。
【００４３】
円環は、図２３においてもっと明確に表される。一方図２３は図２２に対応し、すべてのファミリーに同じ顕著性が与えられている。しかしながら現実には、所与の香りはいくつかのファミリーのみの特徴を表に出し、またあるファミリーの香りは他のファミリーの香りより強い。現行の表示では、これはファミリーを表す円環の厚さで表現される。
【００４４】
図２４は、香水シャネルＮｏ．５から生み出される香りを表現したものである。見て分かるように、この香りには、ハーブ、グリーン、マリン／オゾン、フルーツ、レザー或いはアンバーのファミリーが含まれていないが、目だって強いアルデヒド、ウッド、及びフローラルの香りが含まれている。
【００４５】
図２５と２６は、他のいくつかの既知の香水の特徴を示している。各場合において、各々の香りは図２２と２３で示した円環と同じ順序に並んだ各分野（各々の分野が各円環に対応している）の連なりとして表現されており、隙間はこの半径上に表現されるファミリーの香りが欠けていることを示す。
【００４６】
説明したとおりの方法でこれらを表現するので、プログラムは、図２３と２４に対応し、ファミリーを表現する円環の厚さを、ユーザーにより各ファミリーに与えられた点数に関連させたさらに進んだ表示を生み出すであろう。コンピュータはこのように、そのユーザーが最も好みそうな「個別化された」香りのタイプの輪郭を生み出し、これは、図２５と２６で提示されたいくつかの情報と関連して、ユーザーが最も楽しめそうな香水を選択する手助けとなる。
【００４７】
人が欲しがりそうな香りのタイプはユーザーに、その人の個性の輪郭を明確にするいくつかの質問をすることにより得られ、得られた香りのタイプは、ユーザーが好みそうな香水の構成物質のタイプについてさらに進んだデータを提供するために用いることができる。例えば、計算により得られた輪郭はフローラルの香りが好ましいファミリーであることを示唆する一方、この輪郭はその人物が東洋的香りを好むことを示唆するかもしれない。この場合、コンピュータは、ユーザーに東洋的なものを基礎として、いくつかのフローラルな香りを加えて香りを作ることを示唆することができるであろう。これらの問題については、図２７、２８及び２９で示された画面で簡単に論じられる。ユーザーはこの情報を用いて個人的な調合（すなわち、香りの組み合わせ）を作ることができる。
【表１】
2004529447.tif 000002
2004529447.tif 000003
2004529447.tif 000004
【図面の簡単な説明】
【００４８】
本発明は、参考用として下記図面を参照しながら説明する。
【図１】図１は、本発明に係る装置の容器を示す。
【図２】図２は、CDロムを含む本装置の種々の部品を明らかにした（蓋を開いたときの）容器を示す。
【図３Ａ】図３Aは、CDロム上のプログラムを走らせたコンピュータ上に表示されたテキストと画像の例を示し、前記テキストと画像はこの装置の使用説明を提示している。
【図３Ｂ】図３Bは、CDロム上のプログラムを走らせたコンピュータ上に表示されたテキストと画像の例を示し、前記テキストと画像はこの装置の使用説明を提示している。
【図３Ｃ】図３Cは、CDロム上のプログラムを走らせたコンピュータ上に表示されたテキストと画像の例を示し、前記テキストと画像はこの装置の使用説明を提示している。
【図３Ｄ】図３Dは、CDロム上のプログラムを走らせたコンピュータ上に表示されたテキストと画像の例を示し、前記テキストと画像はこの装置の使用説明を提示している。
【図３Ｅ】図３Eは、CDロム上のプログラムを走らせたコンピュータ上に表示されたテキストと画像の例を示し、前記テキストと画像はこの装置の使用説明を提示している。
【図３Ｇ】図３Gは、CDロム上のプログラムを走らせたコンピュータ上に表示されたテキストと画像の例を示し、前記テキストと画像はこの装置の使用説明を提示している。
【図３Ｈ】図３Hは、CDロム上のプログラムを走らせたコンピュータ上に表示されたテキストと画像の例を示し、前記テキストと画像はこの装置の使用説明を提示している。
【図３Ｉ】図３Iは、CDロム上のプログラムを走らせたコンピュータ上に表示されたテキストと画像の例を示し、前記テキストと画像はこの装置の使用説明を提示している。
【図３Ｊ】図３Jは、CDロム上のプログラムを走らせたコンピュータ上に表示されたテキストと画像の例を示し、前記テキストと画像はこの装置の使用説明を提示している。
【図４】図４は、コンピュータ（及びCDロムにエンコードされて蓄えられたもの）により表示された世界地図の表示であり、これからユーザーは、各香りや香りのファミリーに関連するいろいろな地域を選択できる。
【図５Ａ】図５Aは、前記地域、香り、及び／又は香りのファミリーについての情報の表示例である。
【図５Ｂ】図５Bは、前記地域、香り、及び／又は香りのファミリーについての情報の表示例である。
【図５Ｃ】図５Cは、前記地域、香り、及び／又は香りのファミリーについての情報の表示例である。
【図５Ｄ】図５Dは、前記地域、香り、及び／又は香りのファミリーについての情報の表示例である。
【図５Ｅ】図５Eは、前記地域、香り、及び／又は香りのファミリーについての情報の表示例である。
【図５Ｆ】図５Fは、前記地域、香り、及び／又は香りのファミリーについての情報の表示例である。
【図６Ａ】図６Aは、前記地域、香り、及び／又は香りのファミリーについての情報の表示例である。
【図６Ｂ】図６Bは、前記地域、香り、及び／又は香りのファミリーについての情報の表示例である。
【図６Ｃ】図６Cは、前記地域、香り、及び／又は香りのファミリーについての情報の表示例である。
【図７Ａ】図７Aは、前記地域、香り、及び／又は香りのファミリーについての情報の表示例である。
【図７Ｂ】図７Bは、前記地域、香り、及び／又は香りのファミリーについての情報の表示例である。
【図７Ｃ】図７Cは、前記地域、香り、及び／又は香りのファミリーについての情報の表示例である。
【図８】図８は、前記地域、香り、及び／又は香りのファミリーについての情報の表示例である。
【図９】図９は、前記地域、香り、及び／又は香りのファミリーについての情報の表示例である。
【図１０】図１０は、前記地域、香り、及び／又は香りのファミリーについての情報の表示例である。
【図１１】図１１は、前記地域、香り、及び／又は香りのファミリーについての情報の表示例である。
【図１２】図１２は、前記地域、香り、及び／又は香りのファミリーについての情報の表示例である。
【図１３】図１３は、前記地域、香り、及び／又は香りのファミリーについての情報の表示例である。
【図１４】図１４は、前記地域、香り、及び／又は香りのファミリーについての情報の表示例である。
【図１５】図１５は、前記地域、香り、及び／又は香りのファミリーについての情報の表示例である。
【図１６】図１６は、前記地域、香り、及び／又は香りのファミリーについての情報の表示例である。
【図１７】図１７は、前記地域、香り、及び／又は香りのファミリーについての情報の表示例である。
【図１８】図１８は、ユーザーが地域の選択を終えた後表示される、さらに進んだ情報を示す。
【図１９】図１９は、ユーザーが地域の選択を終えた後表示される、さらに進んだ情報を示す。
【図２０】図２０は、ユーザーが地域の選択を終えた後表示される、さらに進んだ情報を示す。
【図２１Ａ】図２１Aは、香りの組み合わせに関する概念をユーザーに案内するためのテキストと画像の例である。
【図２１Ｂ】図２１Bは、香りの組み合わせに関する概念をユーザーに案内するためのテキストと画像の例である。
【図２２】図２２は、香りが、出願人のLignes de forceシステムに従って描かれる様を示した図である。
【図２３】図２３は、中立的な（すべての香り成分を同等の顕著性で示した）Lignes de forceダイアグラムである。
【図２４】図２４は、シャネルNo.5の特徴を示した同様のダイアグラムである。
【図２５】図２５は、男性用の様々な香りの特徴を示した同様のダイアグラムである。
【図２６】図２６は、女性用の様々な香りの特徴を示した同様のダイアグラムである。
【図２７】図２７は、コンピュータにより表示され、ユーザーが選択するのに適当な香りのタイプをユーザーに対して明確化させるのを助けるため、香りのさらに進んだカテゴリーに関する、次の段階のテキストと画像を示す。
【図２８】図２８は、コンピュータにより表示され、ユーザーが選択するのに適当な香りのタイプをユーザーに対して明確化させるのを助けるため、香りのさらに進んだカテゴリーに関する、次の段階のテキストと画像を示す。
【図２９】図２９は、コンピュータにより表示され、ユーザーが選択するのに適当な香りのタイプをユーザーに対して明確化させるのを助けるため、香りのさらに進んだカテゴリーに関する、次の段階のテキストと画像を示す。
【図３Ａ】
2004529447.tif 000005
【図３Ｂ】
2004529447.tif 000006
【図３Ｃ】
2004529447.tif 000007
【図３Ｄ】
2004529447.tif 000008
【図３Ｅ】
2004529447.tif 000009
【図３Ｇ】
2004529447.tif 000010
【図３Ｈ】
2004529447.tif 000011
【図３Ｉ】
2004529447.tif 000012
【図３Ｊ】
2004529447.tif 000013
【図４】
2004529447.tif 000014
【図５Ａ】
2004529447.tif 000015
【図５Ｂ】
2004529447.tif 000016
【図５Ｃ】
2004529447.tif 000017
【図５Ｄ】
2004529447.tif 000018
【図５Ｅ】
2004529447.tif 000019
【図５Ｆ】
2004529447.tif 000020
【図６Ａ】
2004529447.tif 000021
【図６Ｂ】
2004529447.tif 000022
【図６Ｃ】
2004529447.tif 000023
【図７Ａ】
2004529447.tif 000024
【図７Ｂ】
2004529447.tif 000025
【図７Ｃ】
2004529447.tif 000026
【図８】
2004529447.tif 000027
【図９】
2004529447.tif 000028
【図１０】
2004529447.tif 000029
【図１１】
2004529447.tif 000030
【図１２】
2004529447.tif 000031
【図１３】
2004529447.tif 000032
【図１４】
2004529447.tif 000033
【図１５】
2004529447.tif 000034
【図１６】
2004529447.tif 000035
【図１７】
2004529447.tif 000036
【図１８】
2004529447.tif 000037
【図１９】
2004529447.tif 000038
【図２０】
2004529447.tif 000039
【図２１Ａ】
2004529447.tif 000040
【図２１Ｂ】
2004529447.tif 000041
【図２２】
2004529447.tif 000042
【図２３】
2004529447.tif 000043
【図２４】
2004529447.tif 000044
【図２５】
2004529447.tif 000045
【図２６】
2004529447.tif 000046
【図２７】
2004529447.tif 000047
【図２８】
2004529447.tif 000048
【図２９】
2004529447.tif 000049
【国際公開パンフレット】
2004529447.tif 000050
2004529447.tif 000051
2004529447.tif 000052
2004529447.tif 000053
2004529447.tif 000054
2004529447.tif 000055
2004529447.tif 000056
2004529447.tif 000057
2004529447.tif 000058
2004529447.tif 000059
2004529447.tif 000060
2004529447.tif 000061
2004529447.tif 000062
2004529447.tif 000063
2004529447.tif 000064
2004529447.tif 000065
2004529447.tif 000066
2004529447.tif 000067
2004529447.tif 000068
2004529447.tif 000069
2004529447.tif 000070
2004529447.tif 000071
2004529447.tif 000072
2004529447.tif 000073
2004529447.tif 000074
2004529447.tif 000075
2004529447.tif 000076
2004529447.tif 000077
2004529447.tif 000078
2004529447.tif 000079
2004529447.tif 000080
2004529447.tif 000081
2004529447.tif 000082
2004529447.tif 000083
2004529447.tif 000084
2004529447.tif 000085
2004529447.tif 000086
2004529447.tif 000087
2004529447.tif 000088
2004529447.tif 000089
2004529447.tif 000090
2004529447.tif 000091
2004529447.tif 000092
2004529447.tif 000093
2004529447.tif 000094
2004529447.tif 000095
2004529447.tif 000096
2004529447.tif 000097
2004529447.tif 000098
2004529447.tif 000099
2004529447.tif 000100
2004529447.tif 000101
2004529447.tif 000102
2004529447.tif 000103
【国際公開パンフレット（コレクトバージョン）】
2004529447.tif 000104
【国際公開パンフレット（コレクトバージョン）】
2004529447.tif 000105
2004529447.tif 000106
2004529447.tif 000107
2004529447.tif 000108
2004529447.tif 000109
2004529447.tif 000110
2004529447.tif 000111
2004529447.tif 000112
2004529447.tif 000113
2004529447.tif 000114
2004529447.tif 000115
2004529447.tif 000116
2004529447.tif 000117
2004529447.tif 000118
2004529447.tif 000119
2004529447.tif 000120
2004529447.tif 000121
2004529447.tif 000122
2004529447.tif 000123
2004529447.tif 000124
2004529447.tif 000125
2004529447.tif 000126
2004529447.tif 000127
2004529447.tif 000128
2004529447.tif 000129
2004529447.tif 000130
2004529447.tif 000131
2004529447.tif 000132
2004529447.tif 000133
2004529447.tif 000134
2004529447.tif 000135
2004529447.tif 000136
2004529447.tif 000137
2004529447.tif 000138
2004529447.tif 000139
2004529447.tif 000140
2004529447.tif 000141
2004529447.tif 000142
2004529447.tif 000143
2004529447.tif 000144
2004529447.tif 000145
2004529447.tif 000146
2004529447.tif 000147
2004529447.tif 000148
2004529447.tif 000149
【国際調査報告】
2004529447.tif 000150
2004529447.tif 000151
2004529447.tif 000152
2004529447.tif 000153
2004529447.tif 000154